(57)【特許請求の範囲】
【請求項１】
作業員の操作に応じて、電力設備の再利用の基準となる限度見本の画像を含む画像を表示部に表示させる表示制御部と、
電力設備の再利用態様の選択を受け付ける受付部と、
前記受付部を介して選択された前記電力設備の再利用態様に基づいて、前記電力設備の配送先を管理する管理部と、
を備え、
前記限度見本の画像は、前記電力設備の部品ごとの画像を含み、
前記表示制御部は、前記電力設備の傷又は変形のレベルごとに並べられた前記限度見本の画像を含む画像を提供し、前記電力設備の傷又は変形のレベルに応じて前記電力設備の再利用態様の選択を受け付け可能とする画像を含む画像を、前記表示部に表示させる再利用支援システム。
【請求項３】
前記受付部は、再利用可能であるか否かの選択を、前記電力設備の再利用態様の選択として受け付ける、請求項１に記載の再利用支援システム。
【請求項４】
前記受付部は、修理を施して再利用するか否かの選択を、前記電力設備の再利用態様の選択として受け付ける、請求項１に記載の再利用支援システム。
【請求項５】
前記受付部は、前記修理の程度の判定結果を表す選択を、前記電力設備の再利用態様の選択として受け付ける、請求項４に記載の再利用支援システム。
【請求項６】
前記配送先を特定するための情報を前記管理部に送信する通信部を更に備える、請求項１に記載の再利用支援システム。
【発明の詳細な説明】
【技術分野】
【０００１】
本発明は、再利用支援システムに関する。
【背景技術】
【０００２】
道路等に敷設又は埋設等される設備は、その状態に応じて、新品と交換せずに再利用することが可能である。電力会社等の作業員は、設備の状態に基づいて、その設備の再利用態様を判定する場合がある。
【先行技術文献】
【特許文献】
【０００３】
【特許文献１】特開２０１４−６１９１号公報
【発明の概要】
【発明が解決しようとする課題】
【０００４】
設備の再利用態様の判定には、スキル（技能）が要求される。従来では、作業員が設備の再利用態様を適確かつ効率的に判定することができない場合があった。【０００５】
本発明は、設備の再利用態様を適確かつ効率的に作業員に判定させることができる再利用支援システムを提供することを目的とする。
【課題を解決するための手段】
【０００６】
本発明の一態様は、作業員の操作に応じて、設備の再利用の基準となる限度見本の画像を含む画像を表示部に表示させる表示制御部と、設備の再利用態様の選択を受け付ける受付部と、前記受付部を介して選択された前記設備の再利用態様に基づいて、前記設備の配送先を管理する管理部とを備える再利用支援システムである。【０００７】
本発明の一態様は、前記表示制御部が、前記設備の再利用態様の選択を受け付け可能とする画像を含む画像を前記表示部に表示させる再利用支援システムである。【０００８】
本発明の一態様は、前記受付部が、再利用可能であるか否かの選択を、前記設備の再利用態様の選択として受け付ける再利用支援システムである。【０００９】
本発明の一態様は、前記受付部が、修理を施して再利用するか否かの選択を、前記設備の再利用態様の選択として受け付ける再利用支援システムである。【００１０】
本発明の一態様は、前記受付部が、前記修理の程度の判定結果を表す選択を、前記設備の再利用態様の選択として受け付ける再利用支援システムである。【００１１】
本発明の一態様は、前記配送先を特定するための情報を前記管理部に送信する通信部を更に備える再利用支援システムである。【００１２】
本発明の一態様は、前記設備が電力設備である再利用支援システムである。
【発明の効果】
【００１３】
本発明により、受付部は、電力設備の再利用態様の選択を受け付ける。これにより、再利用支援システムは、設備の再利用態様を適確かつ効率的に作業員に判定させることができる。
【図面の簡単な説明】
【００１４】
【図１】第１の実施形態における、再利用支援システムの構成図である。
【図２】第１の実施形態における、スキルデータを入力するための画像の例を示す図である。
【図３】第１の実施形態における、スキルデータを含むデータテーブルを示す図である。
【図４】第１の実施形態における、スキルデータと作業ライセンスとを含むデータテーブルを示す図である。
【図５】第１の実施形態における、スキルデータを表す画像の例を示す図である。
【図６】第１の実施形態における、作業員を認証するための画像を示す図である。
【図７】第１の実施形態における、限度見本画像を含む画像の第１例を示す図である。
【図８】第１の実施形態における、限度見本画像を含む画像の第２例を示す図である。
【図９】第１の実施形態における、限度見本画像を含む画像の第３例を示す図である。
【図１０】第１の実施形態における、限度見本画像を含む画像の第４例を示す図である。
【図１１】第１の実施形態における、再利用支援装置の動作を示すフローチャートである。
【図１２】第１の実施形態における、再利用支援端末の動作を示すフローチャートである。
【図１３】第１の実施形態における、再利用支援システムの動作を示すシーケンス図である。
【図１４】第２の実施形態における、作業ライセンスと、再利用態様を選択可能とする電力設備の情報とを含むデータテーブルを示す図である。
【図１５】第２の実施形態における、限度見本画像を含む画像の第４例を示す図である。
【図１６】第２の実施形態における、限度見本画像を含む画像の第５例を示す図である。
【図１７】第２の実施形態における、再利用支援装置の動作を示すフローチャートである。
【発明を実施するための形態】
【００１５】
以下、実施形態の再利用支援システム及び再利用支援端末について、図面を参照して詳細に説明する。
（第１の実施形態）
図１は、再利用支援システム１の構成図である。再利用支援システム１は、再利用支援装置１０と、再利用支援端末２０とを備える。再利用支援システム１は、管理装置３０を更に備えてもよい。再利用支援装置１０と再利用支援端末２０とは、通信回線４０を介して互いに通信可能である。また、再利用支援端末２０と管理装置３０とは、通信回線４０を介して互いに通信可能である。
【００１６】
再利用支援装置１０の構成を説明する。
再利用支援装置１０は、設備の再利用態様の判定を支援するための画像を再利用支援端末２０に提供する装置である。この設備は、どのような設備でもよく、特定の設備に限定されない。設備は、例えば、生産設備、修理設備、ガス設備、水道設備、通信設備、又は電力設備である。以下、設備は、一例として電力設備であるものとして説明する。
【００１７】
再利用支援装置１０は、例えば、サーバ装置である。再利用支援装置１０は、限度見本の画像（以下、「限度見本画像」という。）を、再利用支援端末２０に提供する。電力設備の限度見本画像は、電力設備の再利用の基準とされ、電力設備の状態に基づいて作業員が電力設備の再利用態様を判定するために用いられる。
【００１８】
電力設備の再利用態様には、例えば、「良品」と、「小修理」と、「準良品（重修理）」と、「不用品」とがある。再利用態様「良品」は、修理が不要であるため修理することなく電力設備を再利用する態様である。また、再利用態様「小修理」は、簡易な修理（小修理、軽修理）をして電力設備を再利用する態様である。この簡易な修理とは、例えば、錆落としを含む再塗装等の修理である。
【００１９】
再利用態様「準良品」は、簡易でない修理（重修理）をして電力設備を再利用する態様である。この簡易でない修理とは、例えば、部品交換を施す等の修理である。この簡易でない修理は、電力設備の作業員のほか、電力設備の修理を専門とする技術者や、電力設備の製造メーカの技術者によって、電力設備に施されてもよい。また、再利用態様「不用品」は、再利用せずに電力設備を廃棄する態様である。
【００２０】
限度見本画像は、例えば、再利用態様「良品」と判定される状態と、再利用態様「小修理」と判定される状態との閾値に相当する電力設備の画像を含む。限度見本画像は、例えば、再利用態様「小修理」と判定される状態と、再利用態様「準良品」と判定される状態との閾値に相当する電力設備の画像を含む。限度見本画像は、例えば、再利用態様「準良品」と判定される状態と、再利用態様「不用品」と判定される状態との閾値に相当する電力設備の画像を含む。限度見本画像は、例えば、再利用態様「不用品」と判定される状態に相当する電力設備の画像を含む。限度見本画像は、再利用態様の判定を支援するための解説を表す文字列や数字を含んでもよい。
【００２１】
再利用支援装置１０は、取得部１１と、データ処理部１２と、記憶部１３と、付与部１４と、表示制御部１５と、表示部１６と、提供部１７と、通信部１８と、バス１９とを備える。取得部１１と、データ処理部１２と、記憶部１３と、付与部１４と、表示制御部１５と、表示部１６と、提供部１７と、通信部１８とは、バス１９を介して互いに通信可能である。
【００２２】
取得部１１と、データ処理部１２と、付与部１４と、表示制御部１５と、提供部１７と、通信部１８とのうち一部または全部は、例えば、ＣＰＵ（Central Processing Unit）等のプロセッサが、記憶部１３に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００２３】
取得部１１は、操作部１１ａを備える。操作部１１ａは、キーボード、マウス、タッチパネル、メモリスロット等のインタフェースであり、再利用支援装置１０のユーザによって操作される。取得部１１は、操作部１１ａを介して入力された作業員のスキルデータと、作業員番号と、作業員の氏名と、コメント等とを取得する。
【００２４】
図２は、スキルデータを入力するための画像２００の例を示す図である。表示部１６は、画像２００を表示する。画像２００は、作業員番号入力領域１００と、スキルデータ入力領域１０１と、氏名入力領域１０２と、コメント入力領域１０３とを含む。作業員番号入力領域１００は、作業員番号を入力するための領域である。
【００２５】
スキルデータ入力領域１０１は、電力設備の種類に応じた項目ごとにスキルデータを入力するための領域である。図２では、電力設備の種類に応じた項目は、「錆の色の説明」と、「再めっき区分」と、「選別基準説明」と、「変形の許容」と、「錆びやすい箇所」と、「ザラツキ触手」と、「破損不可部位」と、「塗装不可部位」と、「汚損限度」と、「破損しやすい部位」と、「損傷部位触手」と、「人工破損」とである。
【００２６】
電力設備は、電力に関する設備であればどのような設備でもよく、特定の設備に限定されない。例えば、電力設備は、電線と、ケーブルと、柱上変圧器と、高圧開閉器と、高圧カットアウトと、低圧引込ヒューズと、避雷器と、高圧結合器と、制御器類と、低圧引込箱と、地上用の変圧器と、地上用の開閉装置と、密閉型等の断路器（Disconnector）と、銅帯母線と、地中線用地上機器類と、コンクリート柱と、高圧碍子と、低圧碍子と、地中線用防護管と、金物類と、カバー等とである。また、スキルデータは、電力設備の再利用態様を判定するスキル（技能）を表すデータであり、例えば、点数を用いて表される。
【００２７】
氏名入力領域１０２は、作業員の氏名を入力するための領域である。コメント入力領域１０３は、コメントに応じた文字列を入力するための領域である。
【００２８】
データ処理部１２は、上限が１００点となるようにスキルデータを換算した点数（以下、「換算点」という。）を算出し、算出した換算点を記憶部１３のデータテーブルに登録する。また、データ処理部１２は、このデータテーブルに基づいて、電力設備の種類に応じた項目ごとに換算点を表すレーダチャートの画像を生成し、生成した画像を表示制御部１５に出力する。
【００２９】
記憶部１３は、例えば、ＲＯＭ（Read Only Memory）、フラッシュメモリ、ＨＤＤ（Hard Disk Drive）などの不揮発性の記憶媒体（非一時的な記憶媒体）を有する。記憶部１３は、例えば、ＲＡＭ（Random Access Memory）やレジスタなどの揮発性の記憶媒体を有していてもよい。記憶部１３は、ソフトウェア機能部を動作させるためのプログラムを記憶してもよい。記憶部１３は、スキルデータをデータテーブルに含めて記憶してもよい。
【００３０】
図３は、スキルデータを含むデータテーブルを示す図である。図３に示すデータテーブルでは、電力設備である柱上変圧器に定められた項目ごとのスキルデータと、換算点と、作業ライセンスと、コメントとが、作業員番号に対応付けられている。これらのスキルデータは、画像２００のスキルデータ入力領域１０１に入力されたデータである。柱上変圧器に定められた項目には、例えば、錆の色を説明する技能に関する項目がある。なお、図３に示すデータテーブルでは、作業ライセンスは未付与である。
【００３１】
付与部１４は、取得部１１が取得した作業員のスキルデータに基づいて、作業員に作業ライセンスを付与する。付与部１４は、データ処理部１２が算出した換算点に応じて、作業員に作業ライセンスを付与する。例えば、付与部１４は、換算点が高くなるに従って、相対的にレベルの高い作業ライセンスを付与する。また、例えば、付与部１４は、スキルデータの項目のうち、合格点を満たしていない項目が一項目でも存在する場合には、電力設備の再利用態様を選択不可とする作業ライセンスを付与する。付与部１４は、付与した作業ライセンスを、作業員ごとに記憶部１３に記憶させる。
【００３２】
図４は、スキルデータと作業ライセンスとを含むデータテーブルを示す図である。作業ライセンスは、例えば、作業ライセンスＡからＤまでのいずれかで表される。作業ライセンスＡからＤまでのうち、作業ライセンスＡは最も高いレベルの作業ライセンスである。また、作業ライセンスＢ、作業ライセンスＣの順に、作業ライセンスのレベルは低くなる。さらに、作業ライセンスＤは、最も低いレベルの作業ライセンスである。付与部１４は、付与した作業ライセンスに応じて、ＡからＤのいずれかを、図３に示したテーブルデータの項目「作業ライセンス」に登録する。
【００３３】
第１の実施形態では、作業員は、作業ライセンスＡ、Ｂ又はＣのいずれかを付与された場合に、すなわち、作業ライセンスＣ以上を付与された場合に、所定の全ての電力設備の再利用態様を選択することができる。したがって、図４では、作業員番号「０００４」の作業員は、作業ライセンスＤを付与されているため、いずれの電力設備の再利用態様も選択することができない。
【００３４】
表示制御部１５は、表示部１６に画像を表示させる。この画像は、例えば、データ処理部１２が生成した画像である。
表示部１６は、表示制御部１５による制御に応じて、表示画面に画像を表示する。この画像は、例えば、スキルデータを表す画像である。表示部１６は、タッチパネルを更に有してもよい。表示部１６は、このタッチパネルに対する操作に応じた信号を、取得部１１に出力する。
【００３５】
図５は、スキルデータを表す画像２１０の例を示す図である。画像２１０は、作業員番号入力領域１１０と、氏名入力領域１１１と、コメント入力領域１１２と、作業ライセンス表示領域１１３と、レーダチャート１１４とを含む。作業員番号入力領域１１０は、作業員番号を入力するための領域である。氏名入力領域１１１は、作業員番号に対応付けられた作業員の氏名を入力するための領域である。作業ライセンス表示領域１１３は、作業員に付与された作業ライセンスを表示する領域である。レーダチャート１１４は、電力設備である柱上変圧器に定められた項目ごとに換算点を表すレーダチャートの画像である。
【００３６】
提供部１７は、通信部１８を介して、再利用支援端末２０から認証操作情報を取得する。認証操作情報とは、再利用支援端末２０を操作する作業員による認証操作を表す情報である。提供部１７は、取得した認証操作情報に含まれている作業者番号に対応付けられた作業ライセンスを、記憶部１３に記憶されているデータテーブルから読み出す。
【００３７】
提供部１７は、記憶部１３から読み出した作業ライセンスがＡからＣのいずれかである場合には、電力設備の再利用態様の選択を受け付け可能であると判定する。提供部１７は、電力設備の再利用態様の選択を受け付け可能である場合には、選択操作キー画像と限度見本画像との両方を含む画像を、再利用支援端末２０に提供する。
【００３８】
選択操作キー画像とは、電力設備の再利用態様の選択を受け付け可能とする操作キーの画像である。選択操作キー画像は、例えば、プルダウンメニュー形式の画像である。作業員は、選択操作キー画像が再利用支援端末２０に表示された場合、その選択操作キー画像を操作することによって、電力設備の再利用態様を選択することができる。
【００３９】
提供部１７は、記憶部１３から読み出した作業ライセンスがＤである場合には、電力設備の再利用態様の選択を受け付け可能でないと判定する。提供部１７は、電力設備の再利用態様の選択を受け付け可能でない場合には、特定の選択操作キー画像を含まない画像であって限度見本画像を含む画像を、再利用支援端末２０に提供する。この場合、特定の選択操作キー画像が再利用支援端末２０に表示されないので、作業員は、電力設備の再利用態様を選択することができない。
【００４０】
通信部１８は、通信回線４０を介して、再利用支援端末２０と通信する。通信部１８は、提供部１７から取得した画像を、再利用支援端末２０に送信する。提供部１７から取得した画像は、作業ライセンスＡからＤのいずれかを表す文字列を含む画像を含んでいてもよい。通信部１８は、再利用支援端末２０から受信した認証操作情報を、提供部１７に転送する。
【００４１】
再利用支援端末２０の構成を説明する。
再利用支援端末２０は、再利用支援装置１０から提供された画像を表示する装置である。この提供された画像は、電力設備の再利用態様の判定を支援するための画像であり、例えば、限度見本画像である。再利用支援端末２０は、例えば、タブレット、スマートフォン、パーソナルコンピュータ等の情報端末である。
【００４２】
再利用支援端末２０は、受付部２５と、表示制御部２３と、表示部２４と、データ処理部２１と、記憶部２６と、通信部２２と、バス２７とを備える。受付部２５と、表示制御部２３と、表示部２４と、データ処理部２１と、記憶部２６と、通信部２２とは、バス２７を介して互いに通信可能である。
【００４３】
受付部２５と、表示制御部２３と、データ処理部２１と、通信部２２とのうち一部または全部は、例えば、ＣＰＵ等のプロセッサが、記憶部２６に記憶されたプログラムを実行することにより機能するソフトウェア機能部である。また、これらの機能部のうち一部または全部は、ＬＳＩやＡＳＩＣ等のハードウェア機能部であってもよい。
【００４４】
データ処理部２１は、作業員を認証するための画像を生成し、生成した画像を表示制御部２３に出力する。また、データ処理部２１は、受付部２５から取得した信号に応じて画像を生成し、生成した画像を表示制御部２３に出力する。受付部２５から取得した信号は、例えば、作業者による操作に応じた信号である。
【００４５】
通信部２２は、受付部２５が受け付けた作業員番号の入力等の認証操作を表す認証操作情報を、再利用支援装置１０に送信する。通信部２２は、選択操作キー画像を介して選択された電力設備の再利用態様の情報（以下、「再利用態様情報」という。）を、管理装置３０（管理部）に送信する。通信部２２は、再利用支援装置１０から画像を受信し、受信した画像を表示制御部２３に転送する。
【００４６】
表示制御部２３は、例えば、ウェブブラウザを用いて、表示部２４に画像を表示させる。この画像は、例えば、データ処理部１２が生成した画像や、通信部２２を介して取得した画像である。データ処理部１２が生成した画像は、例えば、作業員を認証するための画像である。また、通信部２２を介して取得した画像は、例えば、選択操作キー画像と限度見本画像との両方を含む画像や、特定の選択操作キー画像を含まない画像であって限度見本画像を含む画像である。
【００４７】
表示部２４は、表示制御部２３による制御に応じて、表示画面に画像を表示する。表示部２４は、タッチパネルを更に有してもよい。表示部２４は、このタッチパネルに対する操作に応じた信号を、受付部２５に出力する。
【００４８】
図６は、作業員を認証するための画像２２０を示す図である。画像２２０は、作業員番号入力領域１２０と、氏名入力領域１２１と、認証操作キー画像１２２とを含む。作業員番号入力領域１２０は、作業員番号を入力するための領域である。氏名入力領域１２１は、作業員番号に対応付けられた作業員の氏名を入力するための領域である。認証操作キー画像１２２は、作業員番号入力領域１２０に入力された作業員番号が確定した場合に操作される操作キーの画像である。
【００４９】
受付部２５は、認証操作キー画像１２２が操作された場合、画像２２０の作業員番号入力領域１２０に入力された作業員番号を取得し、取得した作業員番号を含む認証操作情報を、通信部２２に出力する。受付部２５は、認証操作キー画像１２２が操作された場合、画像２２０の氏名入力領域１２１に入力された作業員の氏名を取得し、取得した作業員の氏名を含む認証操作情報を、通信部２２に出力してもよい。
【００５０】
図７は、限度見本画像１４０を含む画像２３０の例を示す図である。表示制御部２３は、再利用支援装置１０の提供部１７から提供された画像２３０を、通信部２２から取得する。表示部２４は、表示制御部２３による制御に応じて、画像２３０を表示する。画像２３０は、電力設備メニュー操作キー画像１３０ａと、作業ライセンス表示領域１３１と、限度見本画像１４０とを含む。
【００５１】
電力設備メニュー操作キー画像１３０ａは、電力設備の種類を選択するための操作キーである。受付部２５は、電力設備メニュー操作キー画像１３０ａに対する操作に応じた信号を、データ処理部２１に出力する。作業ライセンス表示領域１３１は、再利用支援端末２０を操作している作業員に付与された作業ライセンスを表示するための領域である。
【００５２】
図７では、作業員による電力設備メニュー操作キー画像１３０ａを介した操作によって、電力設備「柱上変圧器」が選択されている。図７では、作業員は、プルダウンメニュー形式の電力設備メニュー操作キー画像１３０ａを操作して、電力設備を選択することができる。
【００５３】
限度見本画像１４０は、電力設備メニュー操作キー画像１３０ａを介して選択された電力設備「柱上変圧器」の限度見本画像である。限度見本画像１４０は、柱上変圧器の再利用の基準とされ、柱上変圧器の状態に基づいて作業員が柱上変圧器の再利用態様を判定するために用いられる。
【００５４】
図７では、限度見本画像１４０は、電力設備である柱上変圧器の状態のレベルごとの画像を含む。柱上変圧器の状態のレベルは、柱上変圧器の傷又は錆の発生の程度や、柱上変圧器の変形の程度を表す。柱上変圧器の状態については、一例として、レベル１からレベル５までの５段階が定められている。レベル１は、修理することなく再利用することが適切である電力設備の状態のレベルである。また、レベル５は、廃棄することが適切である電力設備の状態のレベルである。
【００５５】
以下、レベル１と判定される状態の電力設備は、再利用態様「良品」と判定される。レベル２と判定される状態の電力設備は、再利用態様「小修理」と判定される。レベル３と判定される状態の電力設備は、再利用態様「準良品（例えば、全塗装）」と判定される。レベル４と判定される状態の電力設備は、再利用態様「準良品（例えば、外箱交換）」と判定される。レベル５と判定される状態の電力設備は、再利用態様「不用品」と判定される。
【００５６】
図７では、限度見本画像１４０は、レベル１と判定される状態の柱上変圧器の画像と、レベル２と判定される状態の柱上変圧器の画像と、レベル３と判定される状態の柱上変圧器の画像と、レベル４と判定される状態の柱上変圧器の画像と、レベル５と判定される状態の柱上変圧器の画像とを含んでいる。さらに、限度見本画像１４０は、柱上変圧器の部品ごとの画像を含んでもよい。
【００５７】
図８は、限度見本画像１４１を含む画像２４０の例を示す図である。表示制御部２３は、再利用支援装置１０の提供部１７から提供された画像２４０を、通信部２２から取得する。表示部２４は、表示制御部２３による制御に応じて、画像２４０を表示する。画像２４０は、電力設備メニュー操作キー画像１３０ａと、作業ライセンス表示領域１３１と、限度見本画像１４１とを含む。
【００５８】
図８では、作業員による電力設備メニュー操作キー画像１３０ａを介した操作によって、電力設備「コンクリート柱」が選択されている。作業員は、この選択状態から、プルダウンメニュー形式の電力設備メニュー操作キー画像１３０ａを操作することによって、選択する電力設備を「柱上変圧器」に変更することができる。
【００５９】
限度見本画像１４１は、電力設備メニュー操作キー画像１３０ａを介して選択された電力設備「コンクリート柱」の限度見本画像である。限度見本画像１４１は、コンクリート柱の再利用の基準とされ、コンクリート柱の状態に基づいて作業員がコンクリート柱の再利用態様を判定するために用いられる。
【００６０】
図８では、限度見本画像１４１は、電力設備であるコンクリート柱の状態のレベルごとの画像を含む。コンクリート柱の状態のレベルは、コンクリート柱の傷又は破損の発生の程度や、コンクリート柱の鉄筋の露出の程度を表す。コンクリート柱の状態については、一例として、中程度（レベル２からレベル４まで）の段階が無く、レベル１とレベル５との２段階が定められている。なお、柱上変圧器と同様にコンクリート柱の状態にも、中程度（レベル２からレベル４まで）の段階が定められていてもよい。
【００６１】
図８では、限度見本画像１４１は、再利用態様「レベル１」と判定される状態のコンクリート柱の画像と、再利用態様「レベル５」と判定される状態のコンクリート柱の画像とを含んでいる。さらに、限度見本画像１４１は、コンクリート柱の表面の状態ごとの画像を含んでもよい。また、限度見本画像１４１は、再利用態様の判定を支援するための解説を表す文字列を含んでもよい。
【００６２】
図９は、限度見本画像１４０を含む画像２５０の例を示す図である。図７と図９との相違点についてのみ説明する。表示制御部２３は、再利用支援装置１０の提供部１７から提供された画像２５０を、通信部２２から取得する。表示部２４は、表示制御部２３による制御に応じて、画像２５０を表示する。
【００６３】
図９では、作業ライセンス表示領域１３１には、作業員に付与された作業ライセンス「作業ライセンスＡ」が、認証操作情報に基づいて表示されている。作業ライセンスＡを付与された作業員は、電力設備の再利用態様を選択することができる。このため、画像２５０は、図７に示す画像２３０と比較して、電力設備番号領域１３２と、選択操作キー画像１３３と、決定操作キー画像１３４とを更に含む。
【００６４】
電力設備番号領域１３２は、作業員が電力設備番号を入力するための領域である。電力設備番号は、選択操作キー画像１３３を介して選択された電力設備の再利用態様情報に含められてもよい。
【００６５】
選択操作キー画像１３３は、例えば、プルダウンメニュー形式で操作可能に表示される。図９では、作業員は、選択操作キー画像１３３を操作することによって、電力設備「柱上変圧器」の状態について、レベル１からレベル５までのいずれかを選択することができる。すなわち、作業員は、選択操作キー画像１３３を操作することによって、電力設備「柱上変圧器」の再利用態様「良品」、「小修理」、「準良品」又は「不用品」を選択することができる。
決定操作キー画像１３４は、入力された再利用態様が確定した場合に操作される操作キーの画像である。
【００６６】
受付部２５は、表示制御部２３が通信部２２から取得した画像２５０に含まれている選択操作キー画像１３３を介して、電力設備の再利用態様の選択を受け付ける。
【００６７】
受付部２５は、再利用態様が「良品」であるか否かの選択を、選択操作キー画像１３３を介して、電力設備の再利用態様の選択として受け付ける。また、受付部２５は、再利用可能であるか否かの選択を、すなわち、再利用態様が「不用品」であるか否かの選択を、選択操作キー画像１３３を介して、電力設備の再利用態様の選択として受け付けてもよい。
【００６８】
受付部２５は、修理を施して再利用するか否かの選択を、すなわち、再利用態様が「小修理」又は「準良品」のいずれかであるか否かの選択を、選択操作キー画像１３３を介して、電力設備の再利用態様の選択として受け付けてもよい。また、受付部２５は、修理の程度の判定結果を表す「小修理」又は「準良品」の選択を、選択操作キー画像１３３を介して、電力設備の再利用態様の選択として受け付けてもよい。
【００６９】
図１０は、限度見本画像１４１を含む画像２６０の例を示す図である。図１０が図８と図９と相違する点についてのみ説明する。表示制御部２３は、再利用支援装置１０の提供部１７から提供された画像２６０を、通信部２２から取得する。表示部２４は、表示制御部２３による制御に応じて、画像２６０を表示する。
【００７０】
図１０では、作業ライセンス表示領域１３１には、作業員に付与された作業ライセンス「作業ライセンスＡ」が表示されている。このため、画像２６０は、図８に示す画像２４０と比較して、電力設備番号領域１３２と、選択操作キー画像１３３と、決定操作キー画像１３４とを更に含む。
【００７１】
図１０では、作業員は、選択操作キー画像１３３を操作することによって、電力設備「コンクリート柱」の状態について、レベル１又はレベル５を選択することができる。すなわち、作業員は、選択操作キー画像１３３を操作することによって、電力設備「コンクリート柱」の再利用態様「良品」又は「不用品」を選択することができる。
【００７２】
記憶部２６は、例えば、ＲＯＭ、フラッシュメモリ、ＨＤＤなどの不揮発性の記憶媒体（非一時的な記憶媒体）を有する。記憶部２６は、例えば、ＲＡＭやレジスタなどの揮発性の記憶媒体を有していてもよい。記憶部２６は、ソフトウェア機能部を動作させるためのプログラムを記憶してもよい。
【００７３】
記憶部２６は、受付部２５が受け付けた認証操作情報を、作業員ごとに記憶してもよい。記憶部２６は、選択操作キー画像１３３を介して選択された電力設備の再利用態様情報を、電力設備ごとに記憶してもよい。
【００７４】
管理装置３０の構成を説明する。
管理装置３０は、電力設備の再利用態様情報を、再利用支援端末２０の通信部２２から受信する。管理装置３０は、再利用支援端末２０の受付部２５を介して選択された電力設備の再利用態様に基づいて、電力設備の配送先を管理する。管理装置３０は、車両等を用いて、再利用態様情報に基づく配送先に向けて電力設備を配送する。再利用態様情報に基づく配送先には、例えば、電力設備の修理を専門とする技術者が属している設備、電力設備の製造メーカの設備や、電力設備を廃棄する設備がある。
【００７５】
再利用支援システム１の動作を説明する。
図１１は、再利用支援装置１０の動作を示すフローチャートである。
取得部１１は、作業員のスキルデータを取得する（ステップＳ１０１）。
次に、付与部１４は、取得した作業員のスキルデータに基づいて、作業員に作業ライセンスを付与する（ステップＳ１０２）。
次に、付与部１４は、付与した作業ライセンスを、作業員ごとに記憶部１３に記憶させる（ステップＳ１０３）。
【００７６】
次に、付与部１４は、認証操作情報を通信部１８が受信したか否かを判定する（ステップＳ１０４）。付与部１４は、認証操作情報を通信部１８が受信していない場合（ステップＳ１０４：ＮＯ）、ステップＳ１０４の処理を繰り返す。
次に、提供部１７は、認証操作情報を通信部１８が受信した場合（ステップＳ１０４：ＹＥＳ）、作業員の認証操作に応じた認証操作情報に基づいて、その作業員の作業ライセンスを記憶部１３から読み出す（ステップＳ１０５）。
【００７７】
次に、提供部１７は、読み出した作業ライセンスでは再利用態様（良品、小修理、準良品、不用品）を選択することが可能であるか否かを判定する（ステップＳ１０６）。
次に、提供部１７は、再利用態様を選択することが可能である場合（ステップＳ１０６：ＹＥＳ）、全ての電力設備の再利用態様を選択可として、画像２５０と画像２６０を、通信部１８を介して再利用支援端末２０に提供する。画像２５０と画像２６０は、電力設備メニュー操作キー画像１３０ａと、作業ライセンス表示領域１３１と、電力設備番号領域１３２と、選択操作キー画像１３３と、決定操作キー画像１３４と、限度見本画像１４０を含む画像である（ステップＳ１０７）。再利用支援装置１０は、図１１に示す処理を終了する。
【００７８】
次に、提供部１７は、再利用態様を選択することが可能でない場合（ステップＳ１０６：ＮＯ）、電力設備の再利用態様を選択不可として、画像２３０又は画像２４０を、通信部１８を介して再利用支援端末２０に提供する。画像２３０と画像２４０は、選択操作キー画像１３３を含まない画像であって、電力設備メニュー操作キー画像１３０ａと、作業ライセンス表示領域１３１と、限度見本画像１４０を含む画像である（ステップＳ１０８）。再利用支援装置１０は、図１１に示す処理を終了する。
【００７９】
図１２は、再利用支援端末２０の動作を示すフローチャートである。
受付部２５は、作業員の認証操作を受け付け、通信部２２を介して認証操作情報を再利用支援装置１０に送信する（ステップＳ２０１）。
次に、表示制御部２３は、通信部２２が再利用支援装置１０から画像を受信したか否かを判定する（ステップＳ２０２）。表示制御部２３は、通信部２２が再利用支援装置１０から画像を受信していない場合（ステップＳ２０２：ＮＯ）、ステップＳ２０２の処理を繰り返す。
【００８０】
次に、表示制御部２３は、通信部２２が再利用支援装置１０から画像を受信した場合（ステップＳ２０２：ＮＯ）、受信した画像を表示部２４に表示させる（ステップＳ２０３）。
【００８１】
次に、受付部２５は、通信部２２を介して受信した画像に選択操作キー画像１３３が含まれているか否かに基づいて、電力設備の再利用態様の選択を受け付け可能であるか否かを判定する（ステップＳ２０４）。再利用支援端末２０は、電力設備の再利用態様の選択を受け付け可能でない場合（ステップＳ２０４：ＮＯ）、図１２に示す処理を終了する。
【００８２】
次に、受付部２５は、電力設備の再利用態様の選択を受け付け可能である場合（ステップＳ２０４：ＹＥＳ）、選択操作キー画像１３３を介した操作に応じて、電力設備の再利用態様の選択を受け付ける（ステップＳ２０５）。
次に、受付部２５は、選択された再利用態様を表す再利用態様情報を、通信部２２を介して管理装置３０に送信する（ステップＳ２０６）。再利用支援端末２０は、図１２に示す処理を終了する。
【００８３】
図１３は、再利用支援システム１の動作を示すシーケンス図である。
図１３に示すステップＳ１０１〜Ｓ１０７の処理は、図１１に示すステップＳ１０１〜Ｓ１０７として前述した処理である。また、図１３に示すステップＳ２０１〜Ｓ２０６の処理は、図１１に示すステップＳ２０１〜Ｓ２０６として前述した処理である。
【００８４】
例えば、ステップＳ１０４では、再利用支援装置１０は、ステップＳ２０１を実行した再利用支援端末２０から、認証操作情報を受信する。また、例えば、ステップＳ２０２では、再利用支援端末２０は、ステップＳ１０６又はＳ１０７を実行した再利用支援端末２０から、画像２５０と画像２６０を受信する。
【００８５】
以上のように、第１の実施形態の再利用支援システム１は、作業員のスキルデータを取得する取得部１１と、取得した作業員のスキルデータに基づいて、作業員に作業ライセンスを付与し、付与した作業ライセンスを作業員ごとに記憶部１３に記憶させる付与部１４と、作業員の認証操作に応じて作業ライセンスを記憶部１３から読み出し、読み出した作業ライセンスに応じて選択操作キー画像１３３を含む画像を提供する提供部１７とを備える。
【００８６】
この構成によって、提供部１７は、作業員の認証操作に応じて作業ライセンスを記憶部１３から読み出し、読み出した作業ライセンスに応じて選択操作キー画像１３３を含む画像を提供する。これにより、第１の実施形態の再利用支援システム１は、設備の再利用態様を適確かつ効率的に作業員に判定させることができる。また、第１の実施形態の再利用支援システム１は、スキルを有しない作業者が設備の再利用態様を判定することを防止することができる。また、第１の実施形態の再利用支援システム１は、設備の再利用態様の判定を支援することが可能である。また、第１の実施形態の再利用支援システム１は、新品の設備を購入する費用を抑えることができる。
【００８７】
第１の実施形態の再利用支援システム１は、提供部１７から提供された選択操作キー画像１３３を含む画像に応じて設備の再利用態様の選択を受け付け可能である場合には、設備の再利用態様の選択を受け付ける受付部２５を備える。
【００８８】
この構成によって、受付部２５は、提供された画像に応じて設備の再利用態様の選択を受け付け可能である場合には、設備の再利用態様の選択を受け付ける。これにより、第１の実施形態の再利用支援システム１は、設備の再利用態様の判定を支援することが可能である。また、第１の実施形態の再利用支援システム１は、新品の設備を購入する費用を抑えることができる。
【００８９】
第１の実施形態の再利用支援装置１０は、作業員のスキルデータを取得する取得部１１と、取得した作業員のスキルデータに基づいて、作業員に作業ライセンスを付与し、付与した作業ライセンスを作業員ごとに記憶部１３に記憶させる付与部１４と、作業員の認証操作に応じて作業ライセンスを記憶部１３から読み出し、読み出した作業ライセンスに応じて画像を提供する提供部１７とを備える。
【００９０】
この構成によって、提供部１７は、作業員の認証操作に応じて作業ライセンスを記憶部１３から読み出し、読み出した作業ライセンスに応じて画像を提供する。これにより、第１の実施形態の再利用支援装置１０は、設備の再利用態様を適確かつ効率的に作業員に判定させることができる。また、第１の実施形態の再利用支援装置１０は、スキルを有しない作業者が設備の再利用態様を判定することを防止することができる。また、第１の実施形態の再利用支援装置１０は、設備の再利用態様の判定を支援することが可能である。
【００９１】
第１の実施形態の再利用支援システム１は、作業員の操作に応じて、設備の再利用の基準となる限度見本の画像を含む画像を表示部２４に表示させる表示制御部２３と、設備の再利用態様の選択を受け付ける受付部２５と、受付部２５を介して選択された設備の再利用態様に基づいて、設備の配送先を管理する管理装置３０とを備える。
【００９２】
これにより、第１の実施形態の再利用支援システム１は、設備の再利用態様の判定を支援することが可能である。また、第１の実施形態の再利用支援システム１は、新品の設備を購入する費用を抑えることができる。
【００９３】
第１の実施形態の再利用支援端末２０は、作業員の操作に応じて、設備の再利用の基準となる限度見本の画像を含む画像を表示部２４に表示させる表示制御部２３と、設備の再利用態様の選択を受け付ける受付部２５と、受付部２５が受け付けた設備の再利用態様の選択に応じて、設備の配送先を管理する管理装置３０に、配送先を特定するための再利用態様情報を送信する通信部２２を備える。
【００９４】
これにより、第１の実施形態の再利用支援端末２０は、設備の再利用態様の判定を支援することが可能である。また、第１の実施形態の再利用支援端末２０は、新品の設備を購入する費用を抑えることができる。
【００９５】
（第２の実施形態）
以下、第２の実施形態について説明する。第１の実施形態では、一定レベル以上（作業ライセンスＣ以上）の作業ライセンスが付与された作業者は、所定の全ての電力設備について、再利用態様を選択することが可能であった。これに対し、第２の実施形態では、付与された作業ライセンスに対応付けられた電力設備についてのみ、作業者は再利用態様を選択することが可能である点が、第１の実施形態と相違する。第２の実施形態では、第１の実施形態との相違点についてのみ説明する。
【００９６】
図１４は、作業ライセンスと、再利用態様を選択可能とする電力設備の情報とを含むデータテーブルを示す図である。このデータテーブルは、再利用支援装置１０の記憶部１３に記憶されている。第２の実施形態では、作業ライセンスは、電力設備の再利用態様の選択を受け付け可能とするか否かを電力設備ごとに決定するための情報として、レベルＡからＤのいずれかの情報を含む。
【００９７】
図１４では、作業ライセンスＡは、一例として、柱上変圧器と、コンクリート柱と、高圧開閉器とに対応付けられている。作業ライセンスＢは、一例として、柱上変圧器と、コンクリート柱とに対応付けられている。作業ライセンスＣは、一例として、柱上変圧器に対応付けられている。作業ライセンスＤは、いずれの電力設備にも対応付けられていない。
【００９８】
提供部１７は、図４に示すテーブルデータから読み出した作業ライセンスがＡからＣのいずれかである場合には、電力設備の再利用態様の選択を受け付け可能であると判定する。提供部１７は、電力設備の再利用態様の選択を受け付け可能である場合には、作業ライセンスに応じた電力設備メニュー操作キー画像１３０ｂを含む画像を、再利用支援端末２０に提供する。
【００９９】
図１５は、限度見本画像１４０を含む画像２７０の例を示す図である。図９と図１５との相違点についてのみ説明する。表示制御部２３は、再利用支援装置１０の提供部１７から提供された画像２７０を、通信部２２から取得する。表示部２４は、表示制御部２３による制御に応じて、画像２７０を表示する。
【０１００】
図１５では、作業ライセンス表示領域１３１には、作業員に付与された作業ライセンス「作業ライセンスＢ」が、認証操作情報に基づいて表示されている。作業ライセンスＢを付与された作業員は、図１４に示すように、電力設備「柱上変圧器」と「コンクリート柱」の再利用態様を選択することができる。このため、画像２７０は、図９に示す画像２５０と異なり、電力設備メニュー操作キー画像１３０ａの代わりに、付与された作業ライセンスＢに対応付けられた電力設備メニュー操作キー画像１３０ｂを含む。
【０１０１】
電力設備メニュー操作キー画像１３０ｂは、作業ライセンスＢに対応付けられた電力設備「柱上変圧器」と「コンクリート柱」とを、プルダウンメニュー形式で表示する。これによって、作業員は、電力設備「柱上変圧器」と「コンクリート柱」とについて、再利用態様をそれぞれ選択することができる。
【０１０２】
図１６は、限度見本画像１４０を含む画像２８０の例を示す図である。図１５と図１６との相違点についてのみ説明する。表示制御部２３は、再利用支援装置１０の提供部１７から提供された画像２８０を、通信部２２から取得する。表示部２４は、表示制御部２３による制御に応じて、画像２８０を表示する。
【０１０３】
図１６では、作業ライセンス表示領域１３１には、作業員に付与された作業ライセンス「作業ライセンスＡ」が、認証操作情報に基づいて表示されている。作業ライセンスＡを付与された作業員は、図１４に示すように、電力設備「柱上変圧器」と「コンクリート柱」と「高圧開閉器」との再利用態様を選択することができる。このため、画像２８０は、図１５に示す画像２７０と異なり、付与された作業ライセンスＡに対応付けられた電力設備メニュー操作キー画像１３０ｂを含む。
【０１０４】
電力設備メニュー操作キー画像１３０ｂは、作業ライセンスＡに対応付けられた電力設備「柱上変圧器」と「コンクリート柱」と「高圧開閉器」とを、プルダウンメニュー形式で表示する。これによって、作業員は、電力設備「柱上変圧器」と「コンクリート柱」と「高圧開閉器」とについて、再利用態様をそれぞれ選択することができる。
【０１０５】
再利用支援システム１の動作を説明する。
図１７は、再利用支援装置１０の動作を示すフローチャートである。図１７に示すステップＳ３０１〜Ｓ３０６の処理は、図１１に示すステップＳ１０１〜Ｓ１０６として前述した処理と同様である。また、図１７に示すステップＳ３０８の処理は、図１１に示すステップＳ１０８として前述した処理と同様である。
【０１０６】
提供部１７は、再利用態様を選択することが可能である場合（ステップＳ３０６：ＹＥＳ）、作業ライセンスに対応付けられた電力設備の再利用態様を選択可として、画像２５０と画像２６０を、通信部１８を介して再利用支援端末２０に提供する（ステップＳ３０７）。再利用支援装置１０は、図１７に示す処理を終了する。
【０１０７】
以上のように、作業ライセンスは、図１４に示すように、電力設備の再利用態様の選択を受け付け可能とするか否かを電力設備ごとに決定するための情報として、レベルＡからＤのいずれかの情報を含む。提供部１７は、電力設備の再利用態様の選択を受け付け可能である場合には、電力設備の再利用態様の選択を電力設備ごとに受け付け可能とする電力設備メニュー操作キー画像１３０ｂを含む画像２５０と画像２６０を提供する。
【０１０８】
これにより、第２の実施形態の再利用支援システム１は、再利用態様を選択することが可能な電力設備を、作業ライセンスごとに定めることが可能である。
【０１０９】
以上、この発明の実施形態について図面を参照して詳述してきたが、具体的な構成はこの実施形態に限られるものではなく、この発明の要旨を逸脱しない範囲の設計等も含まれる。
【０１１０】
例えば、再利用支援端末２０の表示制御部２３は、提供部１７が提供する画像を、ウェブブラウザによらずに表示部２４に表示させてもよい。この場合、表示制御部２３は、例えば、記憶部２６に記憶されたアプリケーションソフトウェアを実行することによって、提供部１７が提供する画像を、提供部１７の代わりに生成してもよい。表示制御部２３は、提供部１７の代わりに生成した画像を、表示部２４に表示させてもよい。
【０１１１】
なお、以上に説明した再利用支援システムを実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。
【０１１２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１１３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【０１１４】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１１５】
１…再利用支援システム、１０…再利用支援装置、１１…取得部、１１ａ…操作部、１２…データ処理部、１３…記憶部、１４…付与部、１５…表示制御部、１６…表示部、１７…画像提供部、１８…通信部、１９…バス、２０…再利用支援端末、２１…データ処理部、２２…通信部、２３…表示制御部、２４…表示部、２５…受付部、２６…記憶部、２７…バス、３０…管理装置、３０…通信回線、１００…作業員番号入力領域、１０１…スキルデータ入力領域、１０２…氏名入力領域、１０３…コメント入力領域、１１０…作業員番号入力領域、１１１…氏名入力領域、１１２…コメント入力領域、１１３…作業ライセンス表示領域、１１４…レーダチャート、１２０…作業員番号入力領域、１２１…氏名入力領域、１２２…認証操作キー画像、１３０ａ…電力設備メニュー操作キー画像、１３０ｂ…電力設備メニュー操作キー画像、１３１…作業ライセンス表示領域、１３２…電力設備番号領域、１３３…選択操作キー画像、１３４…決定操作キー画像、１４０…限度見本画像、１４１…限度見本画像、２００…画像、２１０…画像、２２０…画像、２３０…画像、２４０…画像、２５０…画像、２６０…画像、２７０…画像、２８０…画像
【要約】
実施形態の再利用支援システムは、作業員の操作に応じて、設備の再利用の基準となる限度見本の画像を含む画像を表示部に表示させる表示制御部と、設備の再利用態様の選択を受け付ける受付部と、受付部を介して選択された設備の再利用態様に基づいて、設備の配送先を管理する管理部とを備える。【図１】
0005958676.tif 000002
【図２】
0005958676.tif 000003
【図３】
0005958676.tif 000004
【図４】
0005958676.tif 000005
【図５】
0005958676.tif 000006
【図６】
0005958676.tif 000007
【図１１】
0005958676.tif 000008
【図１２】
0005958676.tif 000009
【図１３】
0005958676.tif 000010
【図１４】
0005958676.tif 000011
【図１７】
0005958676.tif 000012
【図７】
0005958676.tif 000013
【図８】
0005958676.tif 000014
【図９】
0005958676.tif 000015
【図１０】
0005958676.tif 000016
【図１５】
0005958676.tif 000017
【図１６】
0005958676.tif 000018